(57)【要約】【課題】収納を容易にすることができ、構成が簡単である安価な送風装置を提供する。【解決手段】送風装置１は、送風機１４の動作により、吸込み口１１ａから吸込まれた空気を加熱器１５によって加熱し、吹出し口１１ｂから吹出す。両端側が開放された突出筒１６は、外側筒体１１と略同軸をなし、吸込み口１１ａから外側筒体１１の外側に突出している。突出筒１６の外周面は覆筒１８によって間隔を隔てて覆われている。覆筒１８において、外側筒体１１から遠い方の一端側が開放されている。送風機１４及び加熱器１５に電力を供給するための電源コード１９は、突出筒１６及び覆筒１８の間を通っている。【選択図】図２
2017109050.tif 000002
【特許請求の範囲】
【請求項１】
一端部及び他端部夫々に空気の吸込み口及び吹出し口を有する筒体内に設けられた送風機及び加熱器と、前記送風機及び加熱器に電力を供給するための電源コードとを備え、前記送風機の動作により、前記吸込み口から吸込まれた空気を前記加熱器によって加熱し、前記吹出し口から吹出す送風装置において、
前記筒体と略同軸をなし、両端側が開放され、前記吸込み口から前記筒体の外側に突出している突出筒と、
間隔を隔てて該突出筒の外周面を覆い、前記筒体から遠い方の一端側が開放されている覆筒と
を備え、
前記電源コードは前記突出筒及び覆筒の間を通っていること
を特徴とする送風装置。
【請求項２】
前記突出筒は前記覆筒の外側にも突出していること
を特徴とする請求項１に記載の送風装置。
【請求項３】
前記突出筒は、前記筒体の軸方向に沿って摺動させることが可能に構成されていること
を特徴とする請求項１に記載の送風装置。
【請求項４】
前記覆筒は、前記筒体から遠い方の一端側に切欠きを有し、該覆筒の軸回りに回転可能に構成されていること
を特徴とする請求項１から請求項３のいずれか１つに記載の送風装置。
【請求項５】
一端部及び他端部夫々に空気の吸込み口及び吹出し口を有する筒体内に設けられた送風機及び加熱器を備え、前記送風機の動作により、前記吸込み口から吸込まれた空気を前記加熱器によって加熱し、前記吹出し口から吹出す送風装置において、
前記筒体の一端部及び他端部夫々に、取外し可能に取付けられる取付け部材を備え、
該取付け部材は、
両端側が開放された内筒と、
間隔を隔てて該内筒の外周面を覆う外筒と、
前記内筒及び外筒夫々の縁部分を連結する連結部と
を有し、
前記内筒が前記筒体と連通するように、前記連結部が前記筒体の前記一端部又は他端部に取付けられること
を特徴とする送風装置。
【発明の詳細な説明】
【技術分野】
【０００１】
本発明は、筒体の一端部に開口する吸込み口から吸込んだ空気を加熱し、加熱した空気を該筒体の他端部に開口する吹出し口から吹出す送風装置に関する。
【背景技術】
【０００２】
温風を吹出し、人の髪を乾燥させる送風装置、所謂、ヘアドライヤーが広く普及している。この送風装置は、一端部に空気の吸込み口が開設され、他端部に空気の吹出し口が開設された筒体の内部に送風機及び加熱器を備え、送風機の動作により吸込み口から筒体内に空気を吸込み、加熱器により加熱して吹出し口から吹出すように構成されている。送風機及び加熱器には、電源コードを介して電力が供給される。
【０００３】
以上のような送風装置の中には、装置の収納を容易にするため、電源コードを収納する空間が設けられている送風装置がある（例えば、特許文献１を参照）。この送風装置は、電源コードを巻き取るコードリールを筒体内に備え、筒体には、電源コードを引き出すための引き出し口が設けられている。
【０００４】
特許文献１に記載の送風装置を使用する場合、引き出し口から電源コードを引き出す。このとき、筒体内では、コードリールは一方向に回転し、ぜんまいにコードリールを他方向に回転させる力が蓄えられる。コードリールは、係止具によって制動されるため、蓄えられたぜんまいの力によって他方向に回転することはなく、電源コードが巻き取られることはない。電源コードの一端に設けられた電源プラグをコンセントに差込み、特許文献１に記載の送風装置の使用を開始する。
【０００５】
特許文献１に記載の送風装置の使用を終了する場合、電源プラグをコンセントから外し、筒体の外側に設けられた操作部を操作することによって、係止具が行っている制動を解除する。コードリールは、ぜんまいに蓄えられた力によって他方向に回転し、電源コードは筒体内に収納される。
【先行技術文献】
【特許文献】
【０００６】
【特許文献１】特許第５５５４６６８号公報
【発明の概要】
【発明が解決しようとする課題】
【０００７】
しかしながら、特許文献１に記載の送風装置では、コードリールを制動するロック機構が設けられているため、構成が複雑であり、装置の製造費用が嵩むという問題がある。
【０００８】
本発明は斯かる事情に鑑みてなされたものであり、その目的とするところは、収納を容易にすることができ、構成が簡単である安価な送風装置を提供することにある。
【課題を解決するための手段】
【０００９】
本発明に係る送風装置は、一端部及び他端部夫々に空気の吸込み口及び吹出し口を有する筒体内に設けられた送風機及び加熱器と、前記送風機及び加熱器に電力を供給するための電源コードとを備え、前記送風機の動作により、前記吸込み口から吸込まれた空気を前記加熱器によって加熱し、前記吹出し口から吹出す送風装置において、前記筒体と略同軸をなし、両端側が開放され、前記吸込み口から前記筒体の外側に突出している突出筒と、間隔を隔てて該突出筒の外周面を覆い、前記筒体から遠い方の一端側が開放されている覆筒とを備え、前記電源コードは前記突出筒及び覆筒の間を通っていることを特徴とする。
【００１０】
本発明に係る送風装置は、前記突出筒は前記覆筒の外側にも突出していることを特徴とする。
【００１１】
本発明に係る送風装置は、前記突出筒は、前記筒体の軸方向に沿って摺動させることが可能に構成されていることを特徴とする。
【００１２】
本発明に係る送風装置は、前記覆筒は、前記筒体から遠い方の一端側に切欠きを有し、該覆筒の軸回りに回転可能に構成されていることを特徴とする。
【００１３】
本発明に係る送風装置は、一端部及び他端部夫々に空気の吸込み口及び吹出し口を有する筒体内に設けられた送風機及び加熱器を備え、前記送風機の動作により、前記吸込み口から吸込まれた空気を前記加熱器によって加熱し、前記吹出し口から吹出す送風装置において、前記筒体の一端部及び他端部夫々に、取外し可能に取付けられる取付け部材を備え、該取付け部材は、両端側が開放された内筒と、間隔を隔てて該内筒の外周面を覆う外筒と、前記内筒及び外筒夫々の縁部分を連結する連結部とを有し、前記内筒が前記筒体と連通するように、前記連結部が前記筒体の前記一端部又は他端部に取付けられることを特徴とする。
【発明の効果】
【００１４】
本発明によれば、収納を容易にすることができ、構成が簡単であり、製造費用が安価である。
【図面の簡単な説明】
【００１５】
【図１】実施の形態１における送風装置の斜視図である。
【図２】送風装置の断面図である。
【図３】加熱器の構成の説明図である。
【図４】吸込み口側から見た送風装置の外観図である。
【図５】実施の形態２における送風装置の断面図である。
【図６】実施の形態３における送風装置の断面図である。
【図７】実施の形態３における送風装置の断面図である。
【図８】実施の形態４における送風装置の斜視図である。
【図９】送風装置の断面図である。
【図１０】実施の形態５における送風装置の断面図である。
【図１１】取付け部材の斜視図である。
【図１２】使用状態の送風装置の断面図である。
【図１３】実施の形態６における送風装置の外観図である。
【図１４】送風装置の部分断面図である。
【図１５】内側筒体の内部からイオン発生器を見た送風装置の部分断面図である。
【図１６】実施の形態７における送風装置の部分断面図である。
【発明を実施するための形態】
【００１６】
以下、本発明をその実施の形態を示す図面に基づいて詳述する。
（実施の形態１）
図１は実施の形態１における送風装置１の斜視図であり、図２は送風装置１の断面図である。送風装置１は所謂ヘアドライヤーである。送風装置１は、同軸上において、内側及び外側に嵌め合わされた円筒形の内側筒体１０及び外側筒体１１を備える。外側筒体１１の直径は、軸方向の一端側から他端側に向けて連続的に小さくなっている。外側筒体１１において、大径側の端部には空気の吸込み口１１ａが開設され、小径側の端部には吹出し口１１ｂが開設されている。吹出し口１１ｂには網体１２が架設されている。内側筒体１０は両端部の全面に開口を有する円筒体である。内側筒体１０において、一端側の開口は吸込み口１１ａに連通させてあり、他端側の開口は吹出し口１１ｂに対向させてある。
【００１７】
内側筒体１０の周壁では、吹出し口１１ｂに近い側の周方向の一箇所を内向きに窪ませてあり、この窪み部分と外側筒体１１の内周面との間に確保された空洞内にイオン発生器１３が配設されている。イオン発生器１３は、外側筒体１１に固定された本体１３０と、本体１３０から内側筒体１０に向けて突出する針電極１３ａとを有する。内側筒体１０は、針電極１３ａに対応する位置に周壁を貫通する挿通孔１０ａを有し、針電極１３ａの先端については、挿通孔１０ａを通して内側筒体１０の内側に突出させている。
【００１８】
図２中には、１本の針電極１３ａが示されているが、２つの針電極１３ａが紙面の表裏方向に並設され、内側筒体１０の周壁には２つの挿通孔１０ａが設けられている。また、本体１３０内には、２つの針電極１３ａ夫々に対応する対向電極（図示せず）が設けられている。イオン発生器１３は、２つの針電極１３ａと対向電極との間に形成される電界の作用により、一方の針電極１３ａの先端からプラスイオンを放出し、他方の針電極１３ａの先端からマイナスイオンを放出する動作を行う。
【００１９】
内側筒体１０内において、イオン発生器１３よりも吸込み口１１ａ側に送風機１４が設けられている。送風機１４はモータ１４ａを有し、モータ１４ａは、出力軸が外側筒体１１と同軸をなすように配置されている。モータ１４ａの出力軸には、羽根車１４ｂが取付けられている。モータ１４ａは出力軸を回転させる。これにより、羽根車１４ｂが出力軸回りに回転する。以上のように、モータ１４ａは羽根車１４ｂを回転させる。モータ１４ａが羽根車１４ｂを回転させた場合、吸込み口１１ａから空気が吸込まれ、吹出し口１１ｂから網体１２を介して空気が吹出される。
【００２０】
内側筒体１０内において、送風機１４の下流側に、吸込み口１１ａから吸込まれた空気を加熱する加熱器１５が設けられている。
図３は加熱器１５の構成の説明図である。加熱器１５は、２枚の仕切り板１５０，１５１と電熱線１５２とを有する。仕切り板１５０，１５１は、絶縁された矩形板であり、互いに直交するように組み合わされ、内側筒体１０の内部を縦横に仕切るように架設されている。仕切り板１５０に関しては、内側筒体１０の内周への固定縁に、内側筒体１０の軸方向に並ぶ複数の切欠き１５ａ，１５ａ，・・・が設けられている。仕切り板１５１に関しては、内側筒体１０の内周への固定縁に、内側筒体１０の軸方向に並ぶ複数の切欠き１５ｂ，１５ｂ，・・・が設けられている。
【００２１】
電熱線１５２は、複数の切欠き１５ａ，１５ａ，・・・及び複数の切欠き１５ｂ，１５ｂ，・・・内を挿通している状態で、仕切り板１５０，１５１を複数回、環状に巻回している。電熱線１５２に電力を供給することによって電熱線１５２は発熱する。送風機１４が作動している場合、電熱線１５２は、吸込み口１１ａから吸込まれた空気との間で熱交換を行い、該空気が加熱される。加熱器１５の電熱線１５２が熱交換を行うことによって加熱された空気は吹出し口１１ｂから吹出される。
【００２２】
図２には送風機１４の羽根車１４ｂの回転軸の位置が一点鎖線によって示されている。図２に示すように、仕切り板１５１の板面はイオン発生器１３と対向しており、仕切り板１５１は、送風機１４の羽根車１４ｂの回転軸に対して、イオン発生器１３から離れる方向にずれている。従って、内側筒体１０及び仕切り板１５１によって形成される２つの空気の流入口に関して、イオン発生器１３側の流入口の面積は、もう１つの流入口の面積よりも大きい。このため、仕切り板１５１によって仕切られる内側筒体１０内の２つの領域の中で、イオン発生器１３側の領域を通流する空気量は、もう１つの領域を通流する空気量よりも多い。
【００２３】
このため、加熱器１５の電熱線１５２が発する熱によって、イオン発生器１３が過度に熱せられることが抑制される。結果、本体１３０内に設けられたイオン発生器１３の駆動回路が過熱に起因する誤動作を行う確率は低い。
【００２４】
イオン発生器１３及び送風機１４が作動している場合、２つの針電極１３ａ夫々から放出されたマイナスイオン及びプラスイオンを含む空気が吹出し口１１ｂから吹出される。例えば、使用者が送風装置１から吹出す風を髪に当て髪をブラシでとかす場合、マイナスイオンは使用者の髪に付着し、プラスイオンは、髪をとかしているブラシに付着する。この場合、髪をブラシでとかすことによって発生する静電気を抑制する。また、マイナスイオンが髪に付着することにより、髪のうるおいが保持される。
【００２５】
図４は吸込み口１１ａ側から見た送風装置１の外観図である。図２及び図４に示すように、円筒形の突出筒１６及び覆筒１８が外側筒体１１の大径側の端部に連設されている。突出筒１６は、外側筒体１１と同軸又は略同軸をなし、外側筒体１１の一端面における吸込み口１１ａの周縁部から外側筒体１１の外側に突出している。突出筒１６の直径は、吹出し口１１ｂから吸込み口１１ａへの方向に向かって連続的に小さくなっている。このため、突出筒１６の断面積も、吹出し口１１ｂから吸込み口１１ａへの方向に向かって小さくなっている。突出筒１６の両端側は開放されており、突出筒１６の内部は、外側筒体１１の内部と連通している。
【００２６】
突出筒１６の突出端の開口は網体１７によって架設されている。送風機１４が作動した場合、網体１７を通過した空気が吸込み口１１ａから内側筒体１０及び外側筒体１１の内部に吸込まれる。網体１７は、髪の毛、埃等の異物を捕捉し、該異物が吸込み口１１ａから外側筒体１１の内部に侵入することを防止する。
【００２７】
覆筒１８は、突出筒１６と同軸又は略同軸をなし、外側筒体１１の一端部から突出筒１６と同一方向に突出し、間隔を隔てて突出筒１６の外周面を覆っている。覆筒１８の直径は、吹出し口１１ｂから吸込み口１１ａへの方向に向かって連続的に大きくなっており、覆筒１８の大径側の端面は開放されている。吸込み口１１ａから突出している軸方向の長さに関しては、突出筒１６は覆筒１８よりも長く、突出筒１６は覆筒１８の外側にも突出している。覆筒１８の先端部には、周方向の一箇所に適幅に切り欠いてなる切欠き１８ａが設けられている。
【００２８】
外側筒体１１の大径側の端面から、イオン発生器１３、送風機１４及び加熱器１５に電力を供給するための電源コード１９が外側筒体１１の外側に突出しており、電源コード１９の一端部には電源プラグ２０が設けられている。電源コード１９は突出筒１６及び覆筒１８の間を通っている。
【００２９】
図２には非使用状態の送風装置１が示されている。送風装置１を使用しない場合、電源コード１９を吹出し口１１ｂ側に押し込みながら突出筒１６の外周面に巻き付ける。その後、電源コード１９が突出筒１６から外れないように、電源コード１９を覆筒１８の切欠き１８ａに係合させる。これにより、電源コード１９は、覆筒１８内に収納され、送風装置１の収納に邪魔にならない。このため、送風装置１の収納が容易である。更に、電源コード１９を巻き取るコードリールが存在せず、コードリールを制動するロック機構が設けられていないため、構成が簡単であり、送風装置１の製造費用が安価である。
【００３０】
また、突出筒１６は覆筒１８の外側に突出しているので、電源コード１９を吹出し口１１ｂ側に押し込みながら突出筒１６の外周面に巻き付ける動作を容易に行うことができるので、電源コード１９を覆筒１８内に容易に収納することができる。更に、突出筒１６の直径は、吹出し口１１ｂから吸込み口１１ａへの方向に向かって小さくなっているので、突出筒１６と覆筒１８との間に設けられている電源コード１９の挿入口が大きく、突出筒１６の外周面への電源コード１９の巻き付けが更に容易である。
【００３１】
送風装置１を使用する場合、電源コード１９を突出筒１６から外し、電源プラグ２０をコンセントに差込む。これにより、イオン発生器１３、送風機１４及び加熱器１５に電力が供給される。イオン発生器１３、送風機１４及び加熱器１５が作動した場合、マイナスイオン及びプラスイオンを含む温風が吹出し口１１ｂから吹出される。
【００３２】
（実施の形態２）
図５は実施の形態２における送風装置１の断面図である。
以下では、実施の形態２について、実施の形態１と異なる点を説明する。後述する構成を除く他の構成については、実施の形態１と共通しているため、実施の形態１と共通する構成部材に実施の形態１と同一の参照符号を付してその説明を省略する。
【００３３】
実施の形態２における送風装置１において、網体１７は外側筒体１１の吸込み口１１ａに架設されている。覆筒１８の縁部分に切欠き１８ａは設けられていない。突出筒１６の突出端には、周方向の一箇所に適幅に切り欠いてなる切欠き１６ａが設けられている。
【００３４】
実施の形態２における送風装置１を使用しない場合、図５に示すように、電源コード１９を突出筒１６の外周面に巻き付ける。その後、電源コード１９を切欠き１６ａに挿通させ、電源プラグ２０を突出筒１６内に収納することができる。
【００３５】
（実施の形態３）
図６及び図７は、実施の形態３における送風装置１の断面図である。
以下では、実施の形態３について、実施の形態１と異なる点を説明する。後述する構成を除く他の構成については、実施の形態１と共通しているため、実施の形態１と共通する構成部材に実施の形態１と同一の参照符号を付してその説明を省略する。
【００３６】
実施の形態３における送風装置１においては、突出筒１６は、外側筒体１１とは別に形成されている。実施の形態１と同様に、突出筒１６は、外側筒体１１と同軸又は略同軸をなし、両端側が開放された円筒体であり、突出筒１６の直径は、吹出し口１１ｂから吸込み口１１ａへの方向に向かって連続的に小さくなっている。突出筒１６は外側筒体１１に内嵌され、突出筒１６の大径側の一部が外側筒体１１内に配置されている。突出筒１６の他部は、吸込み口１１ａから外側筒体１１の外側に突出している。突出筒１６の外周面において、大径側の縁部分から、突出筒１６の軸方向に垂直な方向の外側に向かって突出する鍔部２１が周設されている。鍔部２１の突出端は内側筒体１０に当接している。また、突出筒１６の外周面においては、鍔部２１から適長離れた位置に鍔部２２が周設されており、鍔部２２は突出筒１６の軸方向に垂直な方向の外側に向かって突出している。
【００３７】
鍔部２１，２２の間には、外側筒体１１における吸込み口１１ａの周縁部が位置している。鍔部２２には、突出筒１６の軸方向に貫通する貫通孔（図示せず）が設けられており、外側筒体１１の一端面から突出している電源コード１９は貫通孔に挿通されている。
【００３８】
突出筒１６は、外側筒体１１の軸方向に沿って、鍔部２２が吸込み口１１ａの周縁部に当たる位置（図６参照）から鍔部２１が吸込み口１１ａの周縁部に当たる位置（図７参照）まで摺動させることが可能に構成されている。
【００３９】
送風装置１を使用しない場合、鍔部２１が吸込み口１１ａの周縁部に当たるまで突出筒１６を摺動させ、突出筒１６を覆筒１８の外側に突出させる。この状態で、突出筒１６の外周面に電源コード１９を巻き付ける。次に、鍔部２２が吸込み口１１ａの周縁部に当たる位置まで突出筒１６を摺動させ、突出筒１６を覆筒１８内に収容する。その後、電源コード１９が突出筒１６から外れないように、電源コード１９を切欠き１８ａに係合させる。このように、電源コード１９を覆筒１８内に容易に収納することができる。
【００４０】
なお、実施の形態３における送風装置１において、網体１７を突出筒１６の大径側に架設し、実施の形態２と同様に、突出筒１６の突出端に切欠き１６ａを設けてもよい。この場合、使用者は、電源コード１９を突出筒１６の外周面に巻き付けた後、電源コード１９を切欠き１６ａに挿通させて、電源プラグ２０を突出筒１６内に収納することができる。
【００４１】
なお、実施の形態１〜３において、突出筒１６及び覆筒１８夫々が有する断面の形状は、円形に限定されず、楕円形又は多角形であってもよい。
【００４２】
（実施の形態４）
図８は実施の形態４における送風装置１の斜視図であり、図９は送風装置１の断面図である。
以下では、実施の形態４について、実施の形態１と異なる点を説明する。後述する構成を除く他の構成については、実施の形態１と共通しているため、実施の形態１と共通する構成部材に実施の形態１と同一の参照符号を付してその説明を省略する。
【００４３】
実施の形態４に送風装置においては、突出筒１６は覆筒１８の外側に突出しておらず、覆筒１８は外側筒体１１とは別に形成されている。実施の形態４において、覆筒１８は実施の形態１と同様の形状をなし、覆筒１８の両端側は開放されている。覆筒１８の小径側の端部は、外側筒体１１の外周に嵌め合わされている。
【００４４】
覆筒１８の内周面の小径側には、内側に突出する突条部１８ｂが周設されている。外側筒体１１の外周面の大径側には、内側に凹んだ凹溝１１ｃが周設されている。覆筒１８の突条部１８ｂは、外側筒体１１の周方向に摺動可能に外側筒体１１の凹溝１１ｃに嵌め込まれ、覆筒１８は覆筒１８の軸回りに回転可能に構成されている。
【００４５】
使用者は、送風装置１の使用を終了した場合、電源プラグ２０をコンセントから取り外し、電源コード１９を覆筒１８の切欠き１８ａに挿通させる。使用者は、例えば、電源コード１９が切欠き１８ａに挿通させた状態で、覆筒１８を片手で把持し、外側筒体１１を軸回りに回転させる。これにより、使用者は、電源コード１９を突出筒１６の外周面に容易に巻き付けることができる。
【００４６】
なお、実施の形態４において、実施の形態２と同様に、網体１７が外側筒体１１の吸込み口１１ａに架設され、突出筒１６に切欠き１６ａが設けられている構成であってもよい。この場合、使用者は、電源コード１９を切欠き１８ａに挿通させた状態で突出筒１６の外周面に巻き付けた後、電源コード１９を切欠き１８ａから外し、切欠き１６ａに挿通させる。これにより、電源プラグ２０を突出筒１６内に収納することができる。
【００４７】
また、実施の形態４における送風装置１において、実施の形態１と同様に、突出筒１６が覆筒１８の外側に突出していてもよい。また、実施の形態４における送風装置１において、実施の形態３と同様に、突出筒１６は、外側筒体１１の軸方向に沿って摺動させることが可能に構成されていてもよい。
【００４８】
（実施の形態５）
図１０は実施の形態５における送風装置１の断面図である。
以下では、実施の形態５について、実施の形態１と異なる点を説明する。後述する構成を除く他の構成については、実施の形態１と共通しているため、実施の形態１と共通する構成部材に実施の形態１と同一の参照符号を付してその説明を省略する。
【００４９】
実施の形態５における送風装置１では、吸込み口１１ａ及び吹出し口１１ｂは円形断面を有し、吹出し口１１ｂの直径は吸込み口１０ａの直径と略同一である。網体１７は吸込み口１１ａに架設されている。送風装置１は、外側筒体１１の大径側及び小径側夫々の端部に取り外し可能に取り付けられる取付け部材３を更に備える。
【００５０】
図１１は取付け部材３の斜視図である。図１０及び図１１に示すように、取付け部材３は、両端側が開放された円筒形の内筒３０と、内筒３０と同軸又は略同軸をなし、間隔を隔てて内筒３０の外周面を覆う円筒形の外筒３１とを有する。内筒３０及び外筒３１夫々の直径は、軸方向の一端側から他端側に向けて連続的に小さくなっている。内筒３０の大径側の縁部分は、連結部３２によって外筒３１の小径側の縁部分に連結されている。このため、内筒３０の断面積は、連結部３２から離れるにつれて小さくなっている。内筒３０の大径側の開口の直径は吸込み口１１ａ及び吹出し口１１ｂの直径と略同一である。また、軸方向の長さに関しては、内筒３０は外筒３１よりも長く、内筒３０は外筒３１の外側に突出している。
【００５１】
外筒３１には、周壁の一箇所を全長に亘って切欠いてなるスリット３１ａが形成されている。連結部３２には、スリット３１ａに連続する切欠き３２ａが形成されている。
【００５２】
図１０には非使用状態の送風装置１が示されている。送風装置１を使用しない場合、電源コード１９を切欠き３２ａに挿通させた状態で、内筒３０の内部が外側筒体１１の内部と連通するように、連結部３２を外側筒体１１の大径側の端部に取付ける。このとき、内筒３０は外側筒体１１と同軸又は略同軸をなしている。
【００５３】
取付け部材３を外側筒体１１の大径側の端部に取付けた後、電源コード１９を連結部３２側に押し込みながら、内筒３０の外周面に巻き付け、電源コード１９が内筒３０から外れないように、電源コード１９をスリット３１ａに係合させる。これにより、電源コード１９は、外筒３１内に収納され、送風装置１の収納に邪魔にならない。このため、送風装置１の収納が容易である。更に、電源コード１９を巻き取るコードリールが存在せず、コードリールを制動するロック機構が設けられていないため、構成が簡単であり、送風装置１の製造費用が安価である。
【００５４】
また、内筒３０は外筒３１の外側に突出しているので、電源コード１９を連結部３２側に押し込みながら内筒３０の外周面に巻き付ける動作を容易に行うことができるので、電源コード１９を外筒３１内に容易に収納することができる。更に、内筒３０の直径は、連結部３２から離れるにつれて小さくなっているので、内筒３０と外筒３１との間に設けられている電源コード１９の挿入口が大きく、内筒３０の外周面への電源コード１９の巻き付けが更に容易である。
【００５５】
図１２は使用状態の送風装置１の断面図である。送風装置１を使用する場合、電源コード１９を内筒３０から外し、取付け部材３を外側筒体１１の大径側の端部から取り外す。ここで、外筒３１にスリット３１ａが設けられているため、電源コード１９が外側筒体１１の一端面から突出している状態で、取付け部材３を容易に取り外すことができる。
【００５６】
次に、内筒３０の内部が外側筒体１１の内部と連通するように、取付け部材３の連結部３２を外側筒体１１の小径側の端部に取付け、電源プラグ２０をコンセントに差込む。この場合においても、内筒３０は外側筒体１１と同軸をなしている。イオン発生器１３、送風機１４及び加熱器１５を作動させた場合、マイナスイオン及びプラスイオンを含む温風が吹出し口１１ｂから内筒３０を通じて吹出される。
【００５７】
このとき、取付け部材３の内筒３０はノズルとして機能し、吹出し口１１ｂから吹出される空気が整流される。また、内筒３０の直径は、前述したように、連結部３２から離れるにつれて連続的に小さくなっているので、吹出し口１１ｂから吹出される空気が一箇所に集中し、風速が上昇する。これにより、再結合によって消滅するマイナスイオン及びプラスイオンの数が減少し、多くのマイナスイオン及びプラスイオンが吹出し口１１ｂから吹出される。
【００５８】
なお、内筒３０の小径側の端部に、実施の形態２の切欠き１６ａと同様の切欠きを設けてもよい。この場合においては、送風装置１を使用しないとき、取付け部材３を外側筒体１１の大径側の端部に取付けて、電源コード１９を内筒３０の外周面に巻き付けた後、電源コード１９を、内筒３０に設けられた切欠きに挿通させ、電源プラグ２０を内筒３０内に収納することができる。
また、内筒３０及び外筒３１夫々が有する断面形状は円形に限定されず、楕円形又は多角形であってもよい。
【００５９】
（実施の形態６）
図１３は実施の形態６における送風装置４の外観図であり、図１４は送風装置１の部分断面図である。
以下では、実施の形態６について、実施の形態１と異なる点を説明する。後述する構成を除く他の構成については、実施の形態１と共通しているため、実施の形態１と共通する構成部材に実施の形態１と同一の参照符号を付してその説明を省略する。
【００６０】
実施の形態６における送風装置４は、実施の形態１と同様に、内側筒体１０及び外側筒体１１を備え、吸込み口１０ａに網体１７が架設され、吹出し口１１ｂに網体１２が架設されている。実施の形態１と同様に、イオン発生器１３は、内側筒体１０の周壁に設けられた窪み部分と外側筒体１１の内周面との間に確保された空洞内に配設され、送風機１４及び加熱器１５は内側筒体１０内に設けられている。
【００６１】
内側筒体１０における一方及び他方夫々の縁部分には、外側筒体１１に向かって突出する鍔部が周設されており、これらの鍔部の先端は外側筒体１１の内周面に当接している。これにより、内側筒体１０及び外側筒体１１の間には環状の隙間が設けられている。
【００６２】
外側筒体１１の外周には、棒状のグリップ４０がヒンジによって接続されている。ヒンジが用いられているため、外側筒体１１に対して立ち上がっている姿勢、又は、外側筒体１１に沿っている姿勢に、グリップ４０の姿勢を変更することができる。
【００６３】
グリップ４０の他端部から電源コード１９が突出している。電源コード１９のグリップ４０側はコードブッシュ４１によって覆われている。グリップ４０には、使用者が送風装置４を動作させるために用いる押ボタン式の運転切換スイッチ４２、及び、スライド式の作動／停止スイッチ４３が設けられている。イオン発生器１３及び送風機１４は、作動／停止スイッチ４３の操作に従って、作動したり、動作を停止したりする。加熱器１５は、運転切換スイッチ４２の操作に従って、作動したり、動作を停止したりする。
【００６４】
イオン発生器１３、送風機１４及び加熱器１５が作動した場合、吸込み口１１ａから空気が吸込まれ、吸込まれた空気にイオン発生器１３が発生させたマイナスイオン及びプラスイオンが含まれる。更に、吸込み口１１ａから吸込まれた空気は加熱器１５によって加熱される。これにより、マイナスイオン及びプラスイオンを含む温風が吹出し口１１ｂから吹出される。
【００６５】
加熱器１５が動作を停止している状態でイオン発生器１３及び送風機１４が作動した場合、加熱器１５によって空気の加熱が行われないため、マイナスイオン及びプラスイオンを含む冷風が吹出し口１１ｂから吹出される。
【００６６】
内側筒体１０及び外側筒体１１の間に設けられた環状の隙間のグリップ４０近傍における内側筒体１０の外周面に回路基板４４が取付けられている。回路基板４４には、例えば、加熱器１５の電熱線１５２に供給する電力を制御する電源回路が形成されている。電源回路が作動している間、回路基板４４は発熱する。
【００６７】
また、外側筒体１１では、内外方向に周壁を貫通する貫通孔１１ｄが設けられている。貫通孔１１ｄは、回路基板４４よりも吸込み口１１ａ側に設けられており、内側筒体１０及び外側筒体１１の間に設けられた環状の隙間に連通している。
【００６８】
図１５は、内側筒体１０の内部からイオン発生器１３を見た送風装置４の部分断面図である。イオン発生器１３では、実施の形態１で述べたように、２つの針電極１３ａは本体１３０から内側筒体１０に向けて突出しており、２つの針電極１３ａの先端については、２つの挿通孔１０ａを通して内側筒体１０の内側に突出させている。一方の針電極１３ａからマイナスイオンが放出され、他方の針電極１３ａからプラスイオンが放出される。
【００６９】
内側筒体１０において、２つの挿通孔１０ａの間に、内外方向に周壁を貫通する貫通孔１０ｂが設けられている。挿通孔１０ａは針電極１３ａの断面積よりも若干大きく、貫通孔１０ｂは挿通孔１０ａよりも十分に大きい。
【００７０】
貫通孔１０ｂ，１１ｃが設けられた送風装置４において、送風機１４が作動して内側筒体１０内に空気が通流した場合、誘引気流が発生する。具体的には、送風機１４が作動して内側筒体１０内に空気が通流した場合、貫通孔１１ｄ，１０ｂを介して、送風装置４の外側の空気が内側筒体１０内に吸込まれ、吸込まれた空気は吹出し口１１ｂから吹出される。
【００７１】
図１４及び図１５では矢印で誘引気流に係る空気の流れを示している。図１５中の太い破線の矢印は、内側筒体１０及び外側筒体１１間の空気の流れを示し、図１５中の太い実線の矢印は、内側筒体１０内の空気の流れを示している。
【００７２】
イオン発生器１３及び送風機１４が作動して内側筒体１０内に空気が通流した場合、貫通孔１０ｂが２つの挿通孔１０ａの間に設けられているので、太い実線の矢印で示されるように、誘引気流に係る空気は、マイナスイオンを含む空気と、プラスイオンを含む空気との間を通流する。
【００７３】
これにより、一方の針電極１３ａが発生させたマイナスイオンの中で、他方の針電極１３ａが発生させたプラスイオンと結合することによって消滅するマイナスイオンの数は少ない。同様に、他方の針電極１３ａが発生させたプラスイオンの中で、一方の針電極１３ａが発生させたマイナスイオンと結合することによって消滅するプラスイオンの数も少ない。例えば、使用者が、送風装置４から吹出される風を髪に当て髪をブラシで髪をとかす場合、髪及びブラシ夫々に、より多くのマイナスイオン及びプラスイオンを付着させることができ、静電気をより効果的に抑制することができる。
【００７４】
また、貫通孔１０ｂから内側筒体１０内に出てくる空気は、貫通孔１１ｄから、内側筒体１０及び外側筒体１１の間に設けられた環状の隙間に吸込まれた空気であり、加熱器１５によって加熱されていない。このため、貫通孔１１ｄから貫通孔１０ｂへの風路に配置されているイオン発生器１３及び回路基板４４は、貫通孔１１ｄから吸込まれた空気によって冷却され、イオン発生器１３及び回路基板４４の温度上昇が抑制される。このため、回路基板４４に形成された電源回路の温度が上昇して、回路基板４４に形成された電源回路が誤動作する確率が低い。
【００７５】
なお、実施の形態６において、貫通孔１１ｄが設けられる位置は、回路基板４４よりも吸込み口１１ａ側に限定されない。
【００７６】
また、実施の形態１〜５における送風装置１において、実施の形態６と同様に、誘引気流の風路を設けてもよい。この場合、実施の形態６と同様に、内側筒体１０及び外側筒体１１の間に環状の隙間を設け、２つの挿通孔１０ａの間に貫通孔１０ｂを設け、外側筒体１１に貫通孔１１ｄを設ける。
【００７７】
（実施の形態７）
図１６は実施の形態７における送風装置４の部分断面図である。
以下では、実施の形態７について、実施の形態６と異なる点を説明する。後述する構成を除く他の構成については、実施の形態６と共通しているため、実施の形態１と共通する構成部材に実施の形態１と同一の参照符号を付してその説明を省略する。
【００７８】
実施の形態７における送風装置４においては、外側筒体１１に貫通孔１１ｄが設けられておらず、グリップ４０内に、送風装置４の外部と、内側筒体１０及び外側筒体１１間に設けられる環状の隙間とを連絡する連絡風路４０ａが形成されている。
【００７９】
貫通孔１０ｂと連絡風路４０ａが設けられた送風装置４において、送風機１４が作動して内側筒体１０内に空気が通流した場合、誘引気流が発生する。具体的には、送風機１４が作動して内側筒体１０内に空気が通流した場合、送風装置４の外側の空気は、図１６の矢印によって示されるように、貫通孔１０ｂと連絡風路４０ａとを介して内側筒体１０内に吸込まれ、内側筒体１０内に吸込まれた空気は吹出し口１１ｂから吹出される。
【００８０】
誘引気流に係る空気は、実施の形態６と同様に、一方の針電極１３ａが発生させたマイナスイオンを含む空気と、他方の針電極１３ａが発生させたプラスイオンを含む空気との間を通流するので、より多くのマイナスイオン及びプラスイオンが、消滅することなく、吹出し口１１ｂから吹出される。
【００８１】
なお、実施の形態１〜７において、内側筒体１０及び外側筒体１１夫々の断面の形状は、円形に限定されず、例えば、楕円形又は多角形であってもよい。
【００８２】
本発明に係る送風装置は、一端部及び他端部夫々に空気の吸込み口（１１ａ）及び吹出し口（１１ｂ）を有する筒体（１１）内に設けられた送風機（１４）及び加熱器（１５）と、前記送風機（１４）及び加熱器（１５）に電力を供給するための電源コード（１９）とを備え、前記送風機（１４）の動作により、前記吸込み口（１１ａ）から吸込まれた空気を前記加熱器（１５）によって加熱し、前記吹出し口（１１ｂ）から吹出す送風装置（１）において、前記筒体（１１）と略同軸をなし、両端側が開放され、前記吸込み口（１１ａ）から前記筒体（１１）の外側に突出している突出筒（１６）と、間隔を隔てて該突出筒（１６）の外周面を覆い、前記筒体（１１）から遠い方の一端側が開放されている覆筒（１８）とを備え、前記電源コード（１９）は前記突出筒（１６）及び覆筒（１８）の間を通っていることを特徴とする。
【００８３】
本発明にあっては、吸込み口（１１ａ）が設けられた筒体（１１）の一端側に、筒体（１１）と同軸をなして筒体（１１）の外側に突出する突出筒（１６）と、間隔を隔てて突出筒（１６）の外周面を覆う覆筒（１８）とが設けられている。電源コード（１９）は突出筒（１６）と覆筒（１８）との間を通っている。使用者は、電源コード（１９）を突出筒（１６）の外周面に巻き付ける。これにより、電源コード（１９）は覆筒（１８）内に収納され、装置（１）の収納に邪魔にならない。このため、装置（１）の収納が容易である。更に、電源コード（１９）を巻き取るコードリールは存在せず、コードリールを制動するロック機構が設けられていないため、構成が簡単であり、装置（１）の製造費用が安価である。
【００８４】
本発明に係る送風装置は、前記突出筒（１６）は前記覆筒（１８）の外側にも突出していることを特徴とする。
【００８５】
本発明にあっては、突出筒（１６）が、筒体（１１）の外側だけでなく、覆筒（１８）の外側にも突出しているため、電源コード（１９）を吹出し口（１１ｂ）側に押し込みながら突出筒（１６）の外周面に巻き付ける動作を容易に行うことができるので、電源コード（１９）を覆筒（１８）内に容易に収納することが可能である。
【００８６】
本発明に係る送風装置は、前記突出筒（１６）は、前記筒体（１１）の軸方向に沿って摺動させることが可能に構成されていることを特徴とする。
【００８７】
本発明にあっては、使用者は、筒体（１１）の軸方向に沿って、突出筒（１６）を筒体（１１）の外側に摺動させ、突出筒（１６）に電源コード（１９）を巻き付ける。その後、使用者は、電源コード（１９）が巻き付けられた突出筒（１６）を筒体（１１）の内側に摺動させる。このように、電源コード（１９）を覆筒（１８）内に容易に収納することが可能である。
【００８８】
本発明に係る送風装置は、前記覆筒（１８）は、前記筒体（１１）から遠い方の一端側に切欠き（１８ａ）を有し、該覆筒（１８）の軸回りに回転可能に構成されていることを特徴とする。
【００８９】
本発明にあっては、使用者は、電源コード（１９）を覆筒（１８）の切欠き（１８ａ）に挿通させた後、例えば、覆筒（１８）を固定した状態で筒体（１１）を軸回りに回転させる。これにより、電源コード（１９）は突出筒（１６）の外周面に容易に巻き付けられる。
【００９０】
本発明に係る送風装置は、前記突出筒（１６）の断面積は、前記吹出し口（１１ｂ）から前記吸込み口（１１ａ）への方向に向かって小さくなっていることを特徴とする。
【００９１】
本発明にあっては、突出筒（１６）の断面積が吹出し口（１１ｂ）から吸込み口（１１ａ）への方向に向かって小さくなっているので、突出筒（１６）と覆筒（１８）との間に設けられている電源コード（１９）の挿入口が大きく、突出筒（１６）の外周面への電源コード（１９）の巻き付けが容易である。
【００９２】
本発明に係る送風装置は、前記突出筒（１６）は、前記筒体（１１）から遠い方の一端側に切欠き（１６ａ）を有することを特徴とする。
【００９３】
本発明にあっては、突出筒（１６）に切欠き（１６ａ）が設けられているため、使用者は、突出筒（１６）の外周面に電源コード（１９）を巻き付けた後、切欠き（１６ａ）に電源コード（１９）が挿通させて、電源コード（１９）の一端部に設けられている電源プラグ（２０）を突出筒（１６）内に収納することができる。
【００９４】
本発明に係る送風装置は、一端部及び他端部夫々に空気の吸込み口（１１ａ）及び吹出し口（１１ｂ）を有する筒体（１１）内に設けられた送風機（１４）及び加熱器（１５）を備え、前記送風機（１４）の動作により、前記吸込み口（１１ａ）から吸込まれた空気を前記加熱器（１５）によって加熱し、前記吹出し口（１１ｂ）から吹出す送風装置（１）において、前記筒体（１１）の一端部及び他端部夫々に、取外し可能に取付けられる取付け部材（３）を備え、該取付け部材（３）は、両端側が開放された内筒（３０）と、間隔を隔てて該内筒（３０）の外周面を覆う外筒（３１）と、前記内筒（３０）及び外筒（３１）夫々の縁部分を連結する連結部（３２）とを有し、前記内筒（３０）が前記筒体（１１）と連通するように、前記連結部（３２）が前記筒体（１１）の前記一端部又は他端部に取付けられることを特徴とする。
【００９５】
本発明にあっては、取付け部材（３）を、筒体（１１）の一端部又は他端部に取付けることが可能である。取付け部材（３）では、両端側が開放された内筒（３０）の外周面を外筒（３１）が間隔を隔てて覆っており、内筒（３０）及び外筒（３１）の一端部は連結部（３２）によって連結されている。内筒（３０）が筒体（１１）と連通するように、連結部（３２）は筒体（１１）の一端部又は他端部に取付けられる。
【００９６】
装置（１）を使用しない場合、取付け部材（３）を筒体（１１）の一端部に取付け、例えば筒体（１１）の一端部から突出している電源コード（１９）を内筒（３０）の外周面に巻き付ける。これにより、電源コード（１９）は外筒（３１）内に収納され、装置（１）の収納に邪魔にならない。このため、装置（１）の収納が容易である。更に、電源コード（１９）を巻き取るコードリールが存在せず、コードリールを制動するロック機構が設けられていないため、構成が簡単であり、装置（１）の製造費用が安価である。
装置（１）を使用する場合、取付け部材（３）を筒体（１１）の他端部に取付ける。このとき、取付け部材（３）の内筒（３０）はノズルとして機能し、吹出し口（１１ｂ）から吹出される空気が整流される。
【００９７】
本発明に係る送風装置は、前記内筒（３０）の断面積は、前記連結部（３２）から離れるにつれて小さくなっていることを特徴とする。
【００９８】
本発明にあっては、内筒（３０）の断面積が吹出し口（１１ｂ）から吸込み口（１１ａ）への方向に向かって小さくなっているので、内筒（３０）と外筒（３１）との間に設けられている電源コード（１９）の挿入口が大きく、内筒（３０）の外周面への電源コード（１９）の巻き付けが容易である。
【００９９】
開示された実施の形態１〜７はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【０１００】
１  送風装置
１１  外側筒体
１１ａ  吸込み口
１１ｂ  吹出し口
１４  送風機
１５  加熱器
１６  突出筒
１６ａ，１８ａ  切欠き
１８  覆筒
１９  電源コード
３  取付け部材
３０  内筒
３１  外筒
３２  連結部
【図１】
2017109050.tif 000003
【図２】
2017109050.tif 000004
【図３】
2017109050.tif 000005
【図４】
2017109050.tif 000006
【図５】
2017109050.tif 000007
【図６】
2017109050.tif 000008
【図７】
2017109050.tif 000009
【図８】
2017109050.tif 000010
【図９】
2017109050.tif 000011
【図１０】
2017109050.tif 000012
【図１１】
2017109050.tif 000013
【図１２】
2017109050.tif 000014
【図１３】
2017109050.tif 000015
【図１４】
2017109050.tif 000016
【図１５】
2017109050.tif 000017
【図１６】
2017109050.tif 000018